(57)【要約】【課題】全般照明器具と部分照明器具とを有する照明システムにおいて、使用者の動きに応じて誘導照明するとき、それを使用者が認識し易く、しかも、ハードウェアとしてのリモコン装置がなくともリモコン操作できるようにする。【解決手段】照明システムは、空間を全般照明する全般照明器具１と、空間の一部を照明する部分照明器具２と、使用者の予め設定されたトリガ動作を基にトリガ信号を検出するトリガ信号検出部３と、このトリガ信号を受けて全般照明器具１と部分照明器具２を点灯制御する照明制御部４とを備える。部分照明はその色度、形状、輝度のうち、少なくとも一つが全般照明と異なるように照明される。したがって、部分照明により使用者Ｍの動きに応じて誘導照明するとき、それを使用者Ｍが認識し易くなり、しかも、トリガ動作を基に各器具１、２が点灯制御されるので、ハードウェアとしてのリモコン装置がなくともリモコン操作することができる。【選択図】図３
2011009066.tif 000002
【特許請求の範囲】
【請求項１】
空間を全般照明する全般照明器具と、空間の一部を照明する部分照明器具と、前記全般照明器具および部分照明器具を点灯制御する照明制御部と、を有する照明システムであって、
前記全般照明器具および部分照明器具を点灯制御するためのトリガ信号を検出するトリガ信号検出部を備え、
前記トリガ信号検出部は、使用者による所定のトリガ動作を照明点灯のためのトリガ信号として検出し、
前記照明制御部は、前記トリガ信号検出部により検出されたトリガ信号を受けて、前記全般照明器具および部分照明器具を点灯制御し、
前記部分照明器具は、その被照射面の反射光が、前記全般照明器具による被照射面の反射光と、色度、形状、輝度のうち、少なくとも一つが異なるように照明することを特徴とする照明システム。
【請求項２】
前記色度が異なる場合に、前記部分照明器具は、その被照射面の反射光が黒体放射軌跡を外れる色度となるように照明することを特徴とする請求項１に記載の照明システム。
【請求項３】
前記トリガ信号検出部は、使用者のトリガ動作の画像を取得する撮像部と、
前記撮像部で取得された画像データと比較するための所定の画像データを予め記憶する記憶部と、
前記撮像部が取得した画像データと、前記記憶部に予め記憶された所定の画像データとを基に演算処理してトリガ信号を検出する演算部と、を備えたことを特徴とする請求項１または請求項２に記載の照明システム。
【請求項４】
前記撮像部は、使用者の顔を含む画像を取得し、
前記演算部は、前記撮像部が取得した画像データから使用者の顔の向きを特定し、
前記照明制御部は、前記部分照明器具に前記演算部で特定された使用者の顔の向く方向にある被照射面を照明させることを特徴とする請求項１乃至請求項３のいずれか一項に記載の照明システム。
【請求項５】
使用者により保持され使用者の属性情報が予め記憶されたＩＣタグからの信号を受信する受信部を備え、
前記照明制御部は、前記受信部からの受信信号に基いて前記部分照明器具を点灯制御することを特徴とする請求項１乃至請求項４のいずれか一項に記載の照明システム。
【請求項６】
前記照明制御部は、前記部分照明器具を使用者の動線を照射するように点灯制御することを特徴とする請求項５に記載の照明システム。
【請求項７】
前記照明制御部は、前記部分照明器具によりリモコン装置に相当する画像を仮想リモコンとして表示させ、
前記トリガ信号検出部は、前記仮想リモコンの表示エリアで使用者による所定のトリガ動作が行われたとき、これを仮想リモコンに対するトリガ信号として取得することを特徴とする請求項１乃至請求項５のいずれか一項に記載の照明システム。
【発明の詳細な説明】
【技術分野】
【０００１】
本発明は、全般照明器具と部分照明器具とを有し、それらを連携して照明制御する照明システムに関する。
【背景技術】
【０００２】
従来から、室内空間を全般的に照明する全般照明器具と、作業机面などの局部を部分的に照明する部分照明器具とを用いた照明システムが知られている。
【０００３】
このような照明システムにおいて、全般照明と部分照明との光出力の輝度、形状、色度などが同じような場合は、両者を区別して認識することが難しく、部分照明による視線誘導により使用者を所定のテーブル位置などに誘導することは容易でない。また、点灯制御用のリモコン装置が近くに見当たらないような場合、直ぐに各照明器具を点灯制御することはできない。
【０００４】
人を誘導する照明システムとして、火災発生信号を基に複数の誘導用の部分照明器具を所定の順序で点滅させるものが知られている（例えば、特許文献１参照）。しかしながら、このシステムは、火災発生を基に所定の誘導表示をするものであり、人の動きを基に誘導表示をするものではない。
【０００５】
また、リモコン制御される機器本体から探索用電波を発信させ、この電波を受信することで、リモコンの存在位置を知らせる迷子リモコン探索装置が知られている（例えば、特許文献２参照）。このような装置においても、電波が届き難いところにリモコンがあるときには、リモコン位置が分からないので、使用者はリモコン操作をすることができない。
【先行技術文献】
【特許文献】
【０００６】
【特許文献１】特開平１０−１８８１５９号公報
【特許文献２】特開２０００−１８８７０１号公報
【発明の概要】
【発明が解決しようとする課題】
【０００７】
本発明は、上記の問題を解決するものであり、全般照明器具と部分照明器具とを有する照明システムにおいて、使用者の動きに応じて誘導照明するとき、それを使用者が認識し易く、しかも、ハードウェアとしてのリモコン装置がなくともリモコン操作することができる照明システムを提供することを目的とする。
【課題を解決するための手段】
【０００８】
上記目的を達成するために請求項１の発明は、空間を全般照明する全般照明器具と、空間の一部を照明する部分照明器具と、前記全般照明器具および部分照明器具を点灯制御する照明制御部と、を有する照明システムであって、前記全般照明器具および部分照明器具を点灯制御するためのトリガ信号を検出するトリガ信号検出部を備え、前記トリガ信号検出部は、使用者による所定のトリガ動作を照明点灯のためのトリガ信号として検出し、前記照明制御部は、前記トリガ信号検出部により検出されたトリガ信号を受けて、前記全般照明器具および部分照明器具を点灯制御し、前記部分照明器具は、その被照射面の反射光が、前記全般照明器具による被照射面の反射光と、色度、形状、輝度のうち、少なくとも一つが異なるように照明するものである。
【０００９】
請求項２の発明は、請求項１に記載の照明システムにおいて、前記色度が異なる場合に、前記部分照明器具は、その被照射面の反射光が黒体放射軌跡を外れる色度となるように照明するものである。
【００１０】
請求項３の発明は、請求項１または請求項２に記載の照明システムにおいて、前記トリガ信号検出部は、使用者のトリガ動作の画像を取得する撮像部と、前記撮像部で取得された画像データと比較するための所定の画像データを予め記憶する記憶部と、前記撮像部が取得した画像データと、前記記憶部に予め記憶された所定の画像データとを基に演算処理してトリガ信号を検出する演算部と、を備えたものである。
【００１１】
請求項４の発明は、請求項１乃至請求項３のいずれか一項に記載の照明システムにおいて、前記撮像部は、使用者の顔を含む画像を取得し、前記演算部は、前記撮像部が取得した画像データから使用者の顔の向きを特定し、前記照明制御部は、前記部分照明器具に前記演算部で特定された使用者の顔の向く方向にある被照射面を照明させるものである。
【００１２】
請求項５の発明は、請求項１乃至請求項４のいずれか一項に記載の照明システムにおいて、使用者により保持され使用者の属性情報が予め記憶されたＩＣタグからの信号を受信する受信部を備え、前記照明制御部は、前記受信部からの受信信号に基いて前記部分照明器具を点灯制御するものである。
【００１３】
請求項６の発明は、請求項５に記載の照明システムにおいて、前記照明制御部は、前記部分照明器具を使用者の動線を照射するように点灯制御するものである。
【００１４】
請求項７の発明は、請求項１乃至請求項５のいずれか一項に記載の照明システムにおいて、前記照明制御部は、前記部分照明器具によりリモコン装置に相当する画像を仮想リモコンとして表示させ、前記トリガ信号検出部は、前記仮想リモコンの表示エリアで使用者による所定のトリガ動作が行われたとき、これを仮想リモコンに対するトリガ信号として取得するものである。
【発明の効果】
【００１５】
請求項１の発明によれば、使用者による所定のトリガ動作、例えば使用者が部屋に入室したことが検出されたとき、部分照明はその色度、形状、輝度のうち、少なくとも一つが全般照明と異なるように点灯されるので、全般照明された状態で部分照明により使用者を誘導する際、部分照明を使用者が認識し易くなる。しかも、使用者が予め定められたトリガ動作をしたとき、このトリガ動作に合わせて、各照明器具を点灯制御することができるので、ハードウェアとしてのリモコン装置を用いずにリモコン操作が可能となる。また、使用者の動きに合わせてタイミング良く各照明器具を点灯できるので、無駄な点灯を避けることができる。
【００１６】
請求項２の発明によれば、部分照明器具の照明光は、全般照明器具の照明光と色度が異なると共に、黒体放射軌跡上に近い色度を有する自然光とも色度が異なるので、全般照明光と自然光とが存在する状態でも認識され易くなる。
【００１７】
請求項３の発明によれば、トリガ信号がトリガ動作を画像データにより検出できるので、トリガ動作の判定が容易になる。
【００１８】
請求項４の発明によれば、部分照明器具による被照射面が使用者の視線に入り易くなるので、部分照明の視認性が向上する。
【００１９】
請求項５の発明によれば、ＩＣタグに記憶されている属性情報として、例えば宿泊室情報が記憶されていることで、当該情報に基いて部分照明器具を点灯制御することができ、個々の使用者に対応した点灯サービスができる。
【００２０】
請求項６の発明によれば、使用者が向う動線を部分照明することができるので、使用者をスムーズに目的地に向って誘導することができる。
【００２１】
請求項７の発明によれば、仮想リモコンが表示されるので、使用者はハードウェアとしてのリモコン装置を用いることなく、それと同等のリモコン操作をすることできる。
【図面の簡単な説明】
【００２２】
【図１】本発明の第１の実施形態に係る照明システムの構成図。
【図２】同システムにおける各照明器具の分解斜視図。
【図３】同システムにおける使用者への誘導表示を説明するための図。
【図４】同システムにおけるリモコン動作を説明するための図。
【図５】（ａ）は同システムの誘導表示をドアエリアに適用したときの部分照明のデフォルト状態を示す図、（ｂ）は同部分照明をドア上の使用者の目線エリアに照射した状態を示す図、（ｃ）は同部分照明をドア手前の足元付近またはドアノブ付近に照射した状態を示す図、（ｄ）は同部分照明を廊下の両側のドアに照射した状態を示す図。
【図６】本発明の第２の実施形態に係る照明システムによる点灯制御を説明するための図。
【図７】本発明の第３の実施形態に係る照明システムの構成図。
【図８】同システムにおける各照明器具の照明制御を説明するための図。
【図９】（ａ）は本発明の第４の実施形態に係る照明システムおける仮想リモコン表示を説明するための図、（ｂ）は同仮想リモコン表示画面の拡大図。
【発明を実施するための形態】
【００２３】
以下、本発明の第１の実施形態に係る照明システムについて図１乃至図５を参照して説明する。図１および図２は、本実施形態における照明システムの構成を示す。本照明システムは、図１に示すように、住宅内などの空間を全般照明する全般照明器具１と、空間の一部をスポット的に照明する部分照明器具２と、全般照明器具１および部分照明器具２を点灯制御するためのトリガ信号を検出するトリガ信号検出部３と、トリガ信号検出部３により検出されたトリガ信号を受けてこれら照明器具１、２を点灯制御する照明制御部４とを備える。
【００２４】
全般照明器具１は、放電灯、白熱灯、ＬＥＤ等から成る光源を有し、リビングなどの天井面等に取付けられる。全般照明器具１は空間内の複数のエリア毎に設置されればよい。
【００２５】
部分照明器具２は、室内の天井面に、または天井面からワイヤ等で吊り下げられるなどして配置され、比較的指向性が強く、光色可変を行い易いＬＥＤなどから成る光源が適しているが、半導体光源（半導体レーザ、有機ＥＬ、無機ＥＬ、他）や放電灯（蛍光灯、ＨＩＤ、無電極ランプ、他）、電球なども適用できる。また、部分照明器具２は、配光のための反射板やレンズなどの光学部材と、これら光学部材や光源自体を駆動させためのアクチュエータ（電磁モータ、超音波モータなど）とを有し、このアクチュエータは照射方向を可変するための配光可変手段となる。部分照明器具２は、主に使用者を視線誘導するための誘導表示や、後述の仮想リモコン表示等を行うものである。
【００２６】
トリガ信号検出部３は、使用者による所定のトリガ動作を取得するトリガ動作取得部３１と、記憶部３２と、演算部３３とを備える。トリガ動作取得部３１は、使用者によるトリガ動作を検出する各種センサであり、主にはトリガ動作の画像を取得する画像センサから成る撮像部３１ａであり、その他には、熱画像センサ、赤外線センサ、音声センサ等の人検知センサで構成される。トリガ動作取得部３１はこれら複数のセンサを組み合わせることにより、トリガ動作の検知精度をより向上されることができる。記憶部３２は、トリガ動作取得部３１で取得されたデータと比較するための所定のデータ、およびトリガ信号検出に必要なプログラムなどを記憶している。演算部３３は、トリガ動作取得部３１が取得したデータと、予め記憶部３２に記憶された所定のデータとを基に演算処理して照明点灯するためのトリガ信号を検出する。なお、記憶部３２は演算部３３に内蔵されていてもよい。トリガ信号検出部３は、照明制御部４と有線または無線による通信手段で結ばれ、照明制御部４にトリガ出力信号を送出する。
【００２７】
撮像部３１ａは、ＣＣＤ等の半導体画像センサが撮像素子として用いられ、使用者を撮影してその画像データを取得する。なお、撮像部３１ａおよびその他の各センサには、より広いエリアを俯瞰するために、広角／魚眼レンズが搭載されることが望ましい。
【００２８】
記憶部３２は、撮像部３１ａで取得された画像データと比較するための予め設定されたトリガ動作の画像データをテンプレート（雛形データ）として記憶すると共に、トリガ動作に対応する調光（点滅を含む）、調色、配光、オン、オフなどの点灯制御のための制御データを記憶している。
【００２９】
演算部３３は、マイコンおよびメモリを有し、撮像部３１ａで取得されたトリガ動作の画像データを解析し、この画像データを記憶部３２に記憶されているテンプレートの雛形データと比較することにより、取得した画像データに予め設定されたトリガ動作が含まれているかどうかを判断し、各照明器具１、２の点灯制御のためのトリガ出力信号を照明制御部４に送出する。なお、演算部３３は照明制御部４に内蔵されていてもよい。
【００３０】
トリガ動作の代表的なものとしては、使用者が室内に出現または移動、停止することや、使用者が照明器具を一定時間見つめること、または、特定された各種ジェスチャを行うこと等がある。演算部３３は、これらジェスチャのような使用者の意図としてのトリガ動作と共に、歩く、止まるといった意図性が比較的少ない動作に対しても、トリガ動作として検出することが可能である。また、トリガ動作を画像データで検出するので、トリガ動作の判定が容易である。
【００３１】
照明制御部４は、全般照明制御部４１と部分照明制御部４２とを有する。各照明制御部４１、４２は、各照明器具１、２を制御するものであり、トリガ信号検出部３からトリガ出力信号が送出されると、このトリガ出力信号に基いて点灯制御信号を発生し、各照明器具１、２の光出力のパラメータ（輝度、配光、光色、他）をそれぞれ制御する。
【００３２】
部分照明制御部４２は、全般照明器具１の光出力が可変式である場合は、部分照明器具２を制御する際のバックデータとして、全般照明制御部４１より全般照明器具１の光出力のパラメータデータの状態を、通信ライン等を介しリアルタイムで取得して部分照明器具２を制御する。部分照明器具２は、その被照射面の反射光が、全般照明器具１による被照射面の反射光と、色度、形状、輝度のうち、少なくとも一つが異なるように照明する。なお、部分照明制御部４２は全般照明制御部４１と一体構成であってもよい。
【００３３】
本照明システムにおいて、全般照明器具１と部分照明器具２とは、図２に示すように、一つの支持体５に設けられ、光透過材からなるグローブ等の全体カバー６で覆われている。トリガ信号検出部３は支持体５周辺に装着される。
【００３４】
次に、本照明システムが住宅内の空間の天井面１００に装着された場合の点灯制御について、図３、図４を参照して説明する。図３は、使用者Ｍが扉１０２から入室したときの点灯状態を示す。ここでは、使用者Ｍを所定の被照射面２０に誘導するための誘導表示が行われる。トリガ信号検出部３は使用者Ｍの出現やその頭の動きなどをトリガ動作として検知し、この検知により全般照明器具１と部分照明器具２が点灯する。このとき、全般照明器具１は室内のほぼ全域の床面１０１の被照射面１０を照射し、部分照明器具２はテーブル２００上の所定の被照射面２０をスポット照射する。
【００３５】
このスポット照射による部分照明は、その色度、形状、輝度のうち、少なくとも一つが全般照明と異なるように点灯されるので、使用者Ｍは部分照明を認識し易くなる。したがって、部分照明により使用者Ｍを誘導する際、全般照明された状態でも所定の被照射面２０の方向に誘導し易くなる。
【００３６】
図４は、使用者Ｍがテーブル２００に近付き、さらに予め設定されたトリガ動作を行う状態を示す。使用者Ｍがトリガ動作として、例えば伸ばした手を床面１０１と略平行に一定時間維持した場合を消灯（ＯＦＦ）とし、その手を床面１０１に対して傾斜させ、一定時間同じ状態に保ちつつ傾斜状態を上下に変化させた場合は、全般照明器具１の輝度がそれぞれ明、暗に制御されるようになっている。したがって、使用者Ｍのジェスチャ動作により全般照明器具１の点灯を遠隔操作することができる。なお、これらのジェスチャ動作に加え、マイクロフォン等の音声センサを利用する音声による指示など他のインタラクション手段を併用してもよい。
【００３７】
次に、本照明システムを住宅内の共有空間の廊下沿いに面するドアおよびその周辺領域に適用した場合における照明制御について図５（ａ）乃至（ｄ）を参照して説明する。ここでは、全般照明器具１による全般照明は、廊下を薄暗く照射している。
【００３８】
図５（ａ）は使用者Ｍが廊下に入った直後の部分照明のデフォルト状態を示し、廊下沿いの扉１０２の前付近が部分照明される。図５（ｂ）は使用者Ｍが扉１０２方向へ僅かに進んだときの部分照明状態を示す。トリガ信号検出部３は使用者Ｍの進むトリガ動作を検知すると、部分照明器具２は部分照明制御部４２によりその配光可変手段が制御され、扉１０２における使用者Ｍの目線の高さ近くを照明し扉位置を分かり易くする。
【００３９】
続いて、図５（ｃ）は使用者Ｍが扉１０２にさらに近付いて止まったときの部分照明状態を示す。使用者Ｍが止まるトリガ動作により、扉１０２の手前の足元付近またはドアノブ付近へと部分照明の照射方向を自動的に変更する。これにより、使用者Ｍは視線誘導され、扉１０２やドアノブ位置を認識し易くなる。図５（ｄ）は廊下の両側に向かい合ってそれぞれ扉１０２が存在する場合の照射状態を示し、この場合は、部分照明器具２は分光器などにより、一台で複数（ここでは、２つ）の方向を同時に部分照射する。
【００４０】
本照明システムによれば、使用者の動きに応じて誘導照明するとき、それを使用者が認識し易くなり、しかも、使用者が予め定められたトリガ動作をしたとき、このトリガ動作に合わせて、各照明器具１、２を点灯制御するようにできるので、ハードウェアとしてのリモコン装置を用いずにリモコン操作が可能となる。また、使用者の動きに合わせてタイミング良く各照明器具を点灯できるので、無駄な点灯を避けることができる。
【００４１】
また、部分照明と全般照明の色度を異なるようにした場合、部分照明器具２はその被照射面２０の反射光が黒体放射軌跡を外れる色度となるように照明する。これにより、部分照明器具２の照明光は、黒体放射軌跡上に近い色度を有する自然光とも異なるので、全般照明光と自然光とが存在する状態でも、使用者Ｍは部分照明光を認識し易くなる。
【００４２】
なお、本照明システムは、宅内の玄関に適用されたときは、使用者Ｍが住宅内に入ると、玄関の廊下沿いの生花やスペースオブジェを部分照明することにより視線誘導して、それらを鑑賞し易くすることができる。さらに、玄関スペースでは、使用者Ｍの立ち位置状態に応じて、その足元や上がり框への部分照明を行うことにより、使用者Ｍを廊下の段差等へ視線誘導し、転倒防止等の安全確保のための機能を持たせることもできる。
【００４３】
また、本照明システムは、上記以外に、商業施設や駅の通路、階段、エスカレータ、動く歩道などにおいても適用される。これらの場所においては、部分照明による被照射面を予め定められた歩行者の進行方向に向ってスライドさせることにより、使用者Ｍに歩行方向や、歩行や停止エリアを認識させることができる。例えば、商業施設や駅の双方向の通路においては、使用者は混雑時や雑音の多い状況下でも、部分照明によるインジケートによって、即座に歩行方向や、歩行、停止エリアを判別することができ、高齢者や聴覚障害者等に有効である。
【００４４】
次に、本発明の第２の実施形態に係る照明システムについて図６を参照して説明する。図６は、使用者Ｍが建物内の廊下や通路等を進行する場合の点灯状態を示している。本照明システムは、トリガ信号検出部３における演算部３３の機能の一部が前記実施形態と相違する。すなわち、演算部３３は撮像部３１ａで取得した使用者Ｍの顔を含む画像データから使用者Ｍの顔の向きを特定し、照明制御部４は部分照明器具２に演算部３３で特定された使用者Ｍの顔の向く方向にある被照射面２０を照明させるものである。
【００４５】
ここでは、全般照明器具１、部分照明器具２、およびトリガ信号検出部３は一体に構成され、廊下等の所定の共有空間における天井１００の複数箇所に配置されている。
【００４６】
本照明システムにおいては、使用者Ｍが現れたとき、演算部３３は撮像部３１ａで取得された画像データを予め記憶部３２に記憶された比較用画像データ（または、雛形データ）と比較解析し、使用者Ｍの顔の向き（矢印Ａ方向）を特定し、この特定した顔の向きをトリガ信号として検出する。部分照明制御部４２は部分照明器具２にこのトリガ信号を基に、使用者Ｍの顔の向くＡ方向の被照射面２０に照明させる。また、使用者Ｍが進行方向を変えたときは、前記と同様に、向きが変わった使用者Ｍの顔の向く方向（矢印Ｂ方向）の被照射面２０が部分照明される。
【００４７】
また、部分照明制御部４２は、使用者Ｍが歩行中などにより移動している場合には、使用者Ｍの顔の向きだけではなく、撮像部３１ａから取得した時系列画像データより使用者Ｍ自身の進行方向を解析し、その進行方向に部分照明の被照射領域を設定する。
【００４８】
本照明システムによれば、使用者Ｍはその顔の向く方向に部分照明が照射されるので、部分照明に対する視認性が向上する。また、歩行中に進行方向の被照射領域を照明するようにできので、進行し易くなる。なお、使用者Ｍは意識的にその顔の向きにより照射方向を遠隔制御することもできる。
【００４９】
次に、本発明の第３の実施形態に係る照明システムについて図７および図８を参照して説明する。図７は、本照明システムの構成を示す。本照明システムは、使用者により保持されたＩＣタグ７からの信号を受信する受信部３４を備えた点で、前記実施形態と異なる。ＩＣタグ７は予め使用者の属性情報を記憶している。この属性情報は使用者Ｍが向うであろう目的地情報を含む使用者Ｍの個人情報を含んでいる。照明制御部４は、受信部３４からの受信信号に基いて部分照明器具２を点灯制御する。
【００５０】
受信部３４はトリガ信号検出部３内に配設され、演算部３３と通信ラインで接続され、受信信号を演算部３３に供給する。演算部３３は、この受信信号からの属性情報に基き使用者Ｍの属性や個人等を特定し、これらの情報を基に制御信号を発生する。
【００５１】
演算部３３は、トリガ動作取得部３１からのトリガ動作の検知信号に基く演算処理と、受信部３４からの受信信号に基く演算処理とをそれぞれ行い制御信号を出力する。このとき、トリガ信号検出部３からのトリガ信号に基く制御信号と、受信信号に基き演算部３３から出力される制御信号とは、ともにトリガ出力信号としてトリガ信号検出部３から照明制御部４に送出される。ここでは、例えば、使用者Ｍのトリガ動作に基き各器具１、２を点灯制御した後、受信信号に基き、さらに細かい点灯制御を行う。
【００５２】
図８は、本照明システムを複数の客室を有するホテル内の廊下等の共有空間に適用した場合を示す。使用者Ｍは部屋のキーを保有し、このキーにはＩＣタグ７が内蔵されており、このＩＣタグ７からは、使用者Ｍの属性情報を有する無線信号３０が発信される。この属性情報には、例えばホテル内における使用者Ｍの部屋番号や、部屋番号に対応するホテル内の経路情報等が含まれている。
【００５３】
使用者Ｍが廊下の共有空間に現れると、そのトリガ動作により、例えば全般照明が点灯される。ここで、受信部３４がＩＣタグ７からの無線信号３０を受信すると、演算部は使用者Ｍの属性情報から得られる部屋番号を基にホテル内の経路情報から使用者Ｍの予約した部屋の方向を検出する。この検出信号を基に照明制御部４は部分照明の照射方向を制御して、使用者Ｍの進行方向の被照射面２０や所定の部屋の扉１０２上をスポット照射し、使用者Ｍが向う動線を照射することにより、使用者Ｍを予約された宿泊室等へ案内する。
【００５４】
本照明システムによれば、使用者Ｍの属性情報に基き誘導表示を行うことができるので、特定の個人向けの点灯サービスが可能となる。また、使用者Ｍが向う動線を部分照明することができるので、使用者Ｍをスムーズに目的地に向って誘導することができる。
【００５５】
次に、本発明の第４の実施形態に係る照明システムについて図９（ａ）、（ｂ）を参照して説明する。本照明システムにおいては、照明制御部４は部分照明器具２によりリモコン装置に相当する画像を仮想リモコンとして表示させ、トリガ信号検出部３は、仮想リモコンの表示エリアで使用者Ｍによる所定のトリガ動作が行われたとき、これを仮想リモコンに対するトリガ信号として取得するものである。本照明システムは、部分照明器具２が仮想リモコン表示を行うための、明示情報（文字・画像）を表示させるプロジェクション機能を備えた点で前記実施形態と異なる。
【００５６】
部分照明器具２は、プロジェクション機能として、ＬＣＤ方式、ＤＬＰ方式等の各種プロジェクタや、レーザ光走査線方式の照射デバイスなどを有する。部分照明器具２はトリガ信号検出部３で特定された使用者Ｍの顔の向く方向の、特に使用者Ｍの手足が届くような近接領域の被照射面２０に仮想リモコンを表示する。なお、このプロジェクション機能は誘導表示においても適用できる。
【００５７】
仮想リモコンは部分照明により使用者Ｍに近いテーブル２００上の被照射面２０に、実際のリモコン装置に相当する仮想キー画像２１として表示され、被照射面２０が仮想リモコンの表示エリアとなる。
【００５８】
ここで、使用者Ｍが仮想キー画像２１上で任意の仮想キーを選択して指差すと、トリガ動作取得部３１は指差された仮想キー画像２１の画像データを取得し、演算部３３はこの取得されたキー画像データを予め記憶部３２に記憶されリモコン制御内容に対応する基準キー画像データと比較する。演算部３３はこの比較結果から選択された仮想キーを基にリモコン制御内容を判断し、この制御内容に対応してリモコン制御信号を照明制御部４に送り、全般照明器具１の全般照明がリモコン制御される。なお、使用者Ｍは被照射面２０の一部をタッチしてドラッグすることにより、この仮想リモコン表示を任意の位置に動かすことができる。
【００５９】
本照明システムによれば、仮想リモコンが表示されるので、使用者はハードウェアとしてもリモコン装置を用いることなく、それと同等のリモコン操作をすることできる。また、使用者Ｍの近傍に仮想リモコン表示されるので、使用者Ｍは移動することなくリモコン操作できる。また、プロジェクションによる明示情報を用いて、仮想リモコンの不使用時（デフォルトの状態）に、時刻、天気、温度、湿度等の基本情報を表示しておくことにより、使用者Ｍに対するユーザビリティが向上する。
【００６０】
なお、本発明は上記各種実施形態の構成に限定されるものではなく、発明の趣旨を変更しない範囲で適宜に種々の変形が可能である。例えば、上記各実施形態においては、トリガ信号検出部３における撮像部３１ａ等の各種センサを各照明器具１、２の近くに配置したが、それらを各照明器具１、２から離して自由に配置してもよい。また、撮像部３１ａ等の人検知センサを夜間でも検知できるように、高感度ＣＣＤカメラ、赤外線カメラ等としてもよい。また、部分照明と全般照明との色度が異なるようにした場合に、部分照明を複数の色光源を用いて照射してもよい。
【符号の説明】
【００６１】
１  全般照明器具
１０  被照射面
２  部分照明器具
２０  被照明面
３  トリガ信号検出部
３１  トリガ動作取得部
３１ａ  撮像部
３２  記憶部
３３  演算部
３４  受信部
４  照明制御部
４１  全般照明制御部（照明制御部）
４２  部分照明制御部（照明制御部）
７  ＩＣタグ
Ｍ  使用者
【図１】
2011009066.tif 000003
【図２】
2011009066.tif 000004
【図３】
2011009066.tif 000005
【図４】
2011009066.tif 000006
【図５】
2011009066.tif 000007
【図６】
2011009066.tif 000008
【図７】
2011009066.tif 000009
【図８】
2011009066.tif 000010
【図９】
2011009066.tif 000011